(57)【特許請求の範囲】
【請求項１】
眼鏡店に設けられて被検レンズのレンズ屈折特性の分布情報を測定して求めるレンズ測定手段と、前記眼鏡店に設けられ且つ前記レンズ測定手段に接続されたパソコンと、メーカ又は特定の場所に設置され且つ前記パソコンに接続されたホストコンピュータと、前記ホストコンピュータに接続されてレンズ屈折特性である屈折力の分布，品名又は型名，メーカを対応させたレンズ情報が多数記録された情報記録手段と、前記ホストコンピュータに設けられたレンズ判定手段を備えるレンズ特定装置であって、
前記レンズ判定手段は、前記情報記録手段に記録された多数のレンズ情報と、前記レンズ測定手段で測定された前記被検レンズの屈折力の分布データとを比較して少なくとも前記被検レンズのメーカや型名を求め、このメーカや型名の情報を前記眼鏡店のパソコンに通信回線を介して戻すことにより、前記眼鏡店の前記パソコンでメーカや型名を知ることが可能とすると共に、前記眼鏡店の前記パソコンの操作により前記測定された前記被検レンズと類似するデータのレンズを有するメーカと型名のリストを表示可能としたこと特徴とするレンズ特定装置。
【請求項２】
眼鏡店に設けられて被検レンズのレンズ屈折特性の分布情報を測定して求めるレンズ測定手段と、前記眼鏡店に設けられ且つ前記レンズ測定手段に接続されたパソコンと、前記パソコンに接続され且つレンズ屈折特性である屈折力の分布，品名又は型名，メーカを対応させたレンズ情報が多数記録された情報記録手段を備えるレンズ特定装置であって、
前記パソコンは、前記情報記録手段に記録された多数のレンズ情報と、前記レンズ測定手段で測定された前記被検レンズの屈折力の分布データとを比較して少なくとも前記被検レンズのメーカや型名を求めると共に、前記パソコンの操作により前記測定された前記被検レンズと類似するデータのレンズを有するメーカと型名のリストを表示可能としたことを特徴とするレンズ特定装置。
【発明の詳細な説明】
【０００１】
【産業上の利用分野】
この発明は、被検レンズの屈折力の分布や非点収差の分布等のレンズ屈折特性から、例えば遠用重視，近用重視，遠近重視等の被検レンズのタイプや、被検レンズのメーカ，種類（メーカの型名）等を求めるレンズ特定装置に関するものである。
【０００２】
【従来の技術】
近年、眼鏡レンズとしては、累進多焦点レンズ、遠用非球面レンズが広く普及しつつある。例えば、累進多焦点レンズでは、球面度数が変化しない遠用部と、この遠用部の境から屈折力を連続的に変化させた近用部をレンズに設けている。この遠用部はレンズの中央より上部側におおよそ位置し、近用部はレンズの中央より僅かに左右にずれてレンズの下部側におおよそ位置していることが多い。しかも、実際に使用可能な近用部及び近用部と遠用部との間の中間部は、レンズの下部全体に設けられているのではなく、比較的狭い幅でレンズの中央から下縁まで延びている。
【０００３】
しかし、この中間部から近用部までの位置や形状、屈折力の変化等は、眼鏡使用者の使用環境に応じて異なるタイプのものが出回っているのが現状である。同じタイプでも同じメーカでも型名等によって大きく異なっているのが現状である。
【０００４】
従って、ある型名の累進多焦点レンズが用いられたメガネを装用している人が異なるタイプの累進多焦点レンズが用いられたメガネを装用した場合、メガネに馴染まず使用感が悪いものである。
【０００５】
【発明が解決しようとする課題】
しかしながら、この様なメガネのメーカや型名等を記憶している人は少ないために、メガネが破損した場合において新しいレンズをメガネフレームに入れる場合、同じレンズを選択するのが難しいものであった。
【０００６】
また、メガネにも使用場所に応じて用いられるメガネのタイプがあり、このタイプとしてはスポーツタイプ、ドライブタイプ、室内タイプ等（遠近タイプ、中近タイプ、近用タイプ、遠用タイプ等）があげられる。しかし、現在使用しているメガネがいずれのタイプであるか分からないことが少なくない。例えば、現在使用しているメガネが室内で使用する中近タイプであるにも拘らず、使用タイプが分からないために、このメガネを車両の運転等で使用した場合、目の疲労を感じるようなこともある。この様な場合には、何が原因で目の疲労が生じるのかわからないものであった。
【０００７】
そこで、この発明は、簡易且つ迅速にレンズ情報を知ることのできるレンズ特定装置を提供することを目的とするものである。
【０００８】
【課題を解決するための手段】
この目的を達成するために、この発明は、眼鏡店に設けられて被検レンズのレンズ屈折特性の分布情報を測定して求めるレンズ測定手段と、前記眼鏡店に設けられ且つ前記レンズ測定手段に接続されたパソコンと、メーカ又は特定の場所に設置され且つ前記パソコンに接続されたホストコンピュータと、前記ホストコンピュータに接続されてレンズ屈折特性である屈折力の分布，品名又は型名，メーカを対応させたレンズ情報が多数記録された情報記録手段と、前記ホストコンピュータに設けられたレンズ判定手段を備えるレンズ特定装置であって、前記レンズ判定手段は、前記情報記録手段に記録された多数のレンズ情報と、前記レンズ測定手段で測定された前記被検レンズの屈折力の分布データとを比較して少なくとも前記被検レンズのメーカや型名を求め、このメーカや型名の情報を前記眼鏡店のパソコンに通信回線を介して戻すことにより、前記眼鏡店の前記パソコンでメーカや型名を知ることが可能とすると共に、前記眼鏡店の前記パソコンの操作により前記測定された前記被検レンズと類似するデータのレンズを有するメーカと型名のリストを表示可能としたレンズ特定装置としたことを特徴とする。
【０００９】
また、請求項２の発明は、眼鏡店に設けられて被検レンズのレンズ屈折特性の分布情報を測定して求めるレンズ測定手段と、前記眼鏡店に設けられ且つ前記レンズ測定手段に接続されたパソコンと、前記パソコンに接続され且つレンズ屈折特性である屈折力の分布，品名又は型名，メーカを対応させたレンズ情報が多数記録された情報記録手段を備えるレンズ特定装置であって、前記パソコンは、前記情報記録手段に記録された多数のレンズ情報と、前記レンズ測定手段で測定された前記被検レンズの屈折力の分布データとを比較して少なくとも前記被検レンズのメーカや型名を求めると共に、前記パソコンの操作により前記測定された前記被検レンズと類似するデータのレンズを有するメーカと型名のリストを表示可能としたレンズ特定装置としたことを特徴とする。
【００１３】
【発明の実施の形態】
以下、この発明にかかるレンズ特定装置の実施の形態を図面にもとづいて説明する。
【００１４】
(1)実施例１
＜装置の概略構成＞
図１において、１００はメーカ或は特定の場所に設置されたホストコンピュータ（以下、単にコンピュータと略称）である。このコンピュータ１００はパソコン本体１０１及びモニターテレビ１０２を有し、パソコン本体１０１は図２に示した様にレンズ判定手段としての演算制御回路１０１ａを有する。
【００１５】
そして、この演算制御回路１０１ａには、モニターテレビ１０２、及びキーボード，ＩＣカードリーダ，自覚式検眼装置や他覚式検眼装置などの検眼装置の出力部に接続された図示しないインターフェース等の入力手段１０３が接続されていると共に、情報記録・再生装置（情報記録手段）１０４、測定モード切換スイッチ１０５が接続されている。この入力手段１０３は、被検眼の屈折特性などの被検者情報等のデータや、レンズ情報等を入力するために用いられる。
【００１６】
尚、キーボードは、被検眼の屈折特性などの被検者情報等のデータや、眼の検査に基づく処方箋のデータ（処方値）、或は眼鏡の使用目的等を入力したりするのに用いる。このキーボードは、眼の検査に基づく処方箋のデータを入力する場合にはデータ入力手段として使用され、メガネ（眼鏡）の使用目的等を入力するのに用いられる場合には使用目的入力手段として用いられる。この使用目的としては、例えば読書用（室内用），運転用，スポーツ用等があげられる。
【００１７】
また、ＩＣカードリーダ（検眼データ入力手段）は、被検者の眼屈折力情報等が記録されているＩＣカードから被検者の眼屈折力を読み取って演算制御回路１０１ａに入力する。
【００１８】
さらに、被検者の眼屈折力が分からない場合には、自覚式検眼装置や他覚式検眼装置などの検眼装置（検眼データ入力手段）を用いて被検者の眼屈折力等の屈折特性を測定し、この測定結果を検眼装置の出力部に接続された図示しないインターフェースを介して演算制御回路１０１ａに入力する。
【００１９】
また、情報記録・再生装置１０４としては、光ディスク装置、光磁気ディスク、ハードディスク等の大容量記録装置（情報記録再生手段）が用いられる。また、測定モード切換スイッチ１０５は、累進多焦点レンズ測定モードと、レンズ使用タイプ測定モード等の切換を行うのに用いられる。
【００２０】
この情報記録・再生装置１０４にはレンズ情報が多数記録されている。このレンズ情報としては、レンズ屈折特性，品名（型名），メーカ等を対応させたものや、屈折特性に対応する被検レンズの使用目的情報等がある。
【００２１】
このレンズ屈折特性としては、被検レンズの屈折力の分布や非点収差の分布等がある。この被検レンズ３１の屈折力の分布としては、例えば、図３，図４〜図７に示した様に被検レンズ３１の全屈折力の分布（全屈折力データ）を示したものや、被検レンズの部分屈折力（部分屈折力データ）を示したものがあげられる。
【００２２】
この部分屈折力（一部屈折力）データとしては、遠点２０１ａ（遠用部２０１の一部）の屈折力データ及び近点２０２ａ（近用部２０２び一部）の屈折力データや、遠点２０１ａの位置に対する近点２０２ａの位置データ等のみでも良い。また、部分屈折力データとしては、被検レンズ３１の複数箇所すなわち図３に示した様に等ピッチで縦横に配列した点Ｐ１〜Ｐ９の部分の屈折力データ等でも良い。
【００２３】
尚、図３中、２０３は遠点２０１ａと近点２０２ａを結ぶ仮想線、ｄ１〜ｄ５は球面度数の等度数線を示し、２０４は遠用部２０１と近用部２０２の間の累進部、２０５，２０６は円柱度数（円柱屈折特性値）が０．２５となる部分の等度数線、２０７，２０８の斜線部は等度数線２０５，２０６によって遠用部２０１，近用部２０２，累進部２０４と区画された領域で且つ円柱度数Ｃ及び軸角度Ａが大きく変化する領域である。
【００２４】
また、屈折特性に対応する被検レンズの使用目的情報としては使用場所に応じて用いられるメガネのタイプがあり、このタイプとしてはスポーツタイプ、ドライブタイプ、室内タイプ等（遠近タイプ、中近タイプ、近用タイプ、遠用タイプ等）があげられる。この場合、使用目的の屈折力は被検眼の屈折力と被検レンズの屈折力を考慮して得られるものであるので、この使用目的の屈折力とメガネのタイプが対応して使用目的情報として情報記録・再生装置１０４に記録されることになる。尚、被検レンズの材質等もレンズ情報として入力することもできる。
【００２５】
また、この演算制御回路１０１ａには、被検レンズのレンズ屈折特性の分布を測定して求めるレンズ測定手段としてのレンズメータ１が接続されている。
【００２６】
更に、演算制御回路１０１ａのＲＳ−２３２Ｃ端子５１ｂには、図１，図２に示したように多数の眼鏡店７０のレンズメータ１´がパーソナルコンピュータ（以下パソコンと略称）７２，モデム７３，電話回線７４、モデム７５を介して接続されている。しかも、レンズメータ１，１´には、図８〜図２９に示した構成のものが用いられている。
【００２７】
＜レンズメータ＞
次に、このレンズメータ１，１´の構成を図８〜図２９に基づいて説明する。尚、レンズメータ１，１´は同じ構成のものが用いられているので、レンズメータ１についてのみ説明する
（レンズメータの基本構成）
この図８において、１はレンズメーター、２はレンズメーター１の本体、３は本体２の上部に設けられたＣＲＴ又は液晶ディスプレイ等のモニター、３ａはそのモニター３の表示画面、４は本体２の前側に設けられた上光学部品収納部、５は上光学部品収納部の下方に位置させて設けられた下光学部品収納部、６は下光学部品収納部５の上端に設けられたレンズ受けテーブル、７は両収納部５、６間に位置して本体２の正面に前後移動調整可能に保持されたレンズ当て、８は本体２の横側に前後回動可能に保持されたレンズ当て操作用のレバーで、このレバー８の前後回動によりレンズ当て７が前後移動調整されるようになっている。
【００２８】
そのレンズ当て７の上縁部にはスライダ９ａが左右動自在に保持され、このスライダ９ａには鼻当て支持部材９が上下回動可能に保持されている。この鼻当て支持部材９は、図示を略すスプリングで上方にバネ付勢されていると共に水平位置で上方への回動が規制されるようになっている。この鼻当支持部材９を利用してメガネＭの被検レンズＳＬ（３１）の屈折特性値を測定する場合には、図２５に示した様に、メガネＭの鼻当Ｂを鼻当支持部材９に上方から当てて、鼻当支持部材９を下方に回動させると共に左右に移動させながら被検レンズＳＬ（３１）を後述するレンズ受１３に当接させる。尚、１０は切換えスイッチ、１１は測定開始スイッチである。
【００２９】
このレンズ受けテーブル６には、図９に示す段付き取り付け孔１２が形成されている。この取り付け孔１２にはレンズ受け１３が設けられる。このレンズ受け１３には円形の未加工レンズ（生地レンズ）、加工済みレンズ、あるいは眼鏡フレームに枠入りされたままの眼鏡レンズがセットされる。
【００３０】
本体２内には図９に示す測定光学系が設けられている。その図９において、２０は光源部である。光源部２０は測定光束発生用の光源２１、ピンホール板２２、中心位置決定用光束（位置特定用光束）を発生させるための光源２３、ピンホール板２４、穴空きミラー２５、コリメートレンズ２６を有する。なお、２２ａ、２４ａはピンホールを示し、２７は集光用凹面鏡を示す。
【００３１】
光源２１はハロゲンランプから構成され、光源２３はＬＥＤから構成されている。穴空きミラー２５には開口２５ａが形成されている。ピンホール板２２、２４はコリメートレンズ２６の焦点位置に配置され、コリメートレンズ２６は光源２１、２３から出射された光束を平行光束に変換する役割を果たし、ここでは、光源２１により発生された光束が符号Ｐ１で示され、光源２３により発生された光束が符号Ｐ２で示されている。
【００３２】
レンズ受けテーブル６にはレンズ受け１３がセットされる。このレンズ受け１３は、パターン板２８とレンズ受けピン２９とから構成されている。パターン板２８は図３に示すように直方形状であり、レンズ受けテーブル６の段付き取り付け孔１２に係止される。
【００３３】
パターン板２８には、図１０に示した様に、レンズ受けピン装着用の円形溝２８ａがそのパターン板２８の中心位置Ｏ１を囲むようにして４箇所形成されている。その円形溝２８ａにはレンズ受けピン２９が着脱可能に装着される。そのパターン板２８の中心位置Ｏ１の周囲でかつ円形溝２８ａの内側には４個の円形孔２８ｂが形成されている。そのパターン板２８の円形溝２８ａの外側には、多数の円形孔２８ｃが形成されている。その円形孔２８ｂはパターン板２８の中心位置Ｏ１に対応するパターン像の中心位置Ｏ４（図１１〜図１３及び図１５、図１６参照）を決定するために用いられる。円形孔２８ｃは被検レンズ３０のレンズ特性を決定するために用いられる。その円形孔２８ｂのサイズ（開口面積）と円形孔２８ｃのサイズ（開口面積）とはその大きさが同一である。ＬＥＤ２３には指向性の大きいものが用いられ、光源２３により出射された光束Ｐ１は開口２５ａを通って、円形溝２８ａにより囲まれた領域内に存在する円形孔２８ｂに投光され、光源２１により出射された光束Ｐ２は穴空きミラー２５により反射されて、パターン板２８のほぼ全領域に投光される。
【００３４】
その円形孔２８ｃは規則的に等間隔を開けて形成され、円形孔の全個数は約１０００個であり、パターン板２８の残余の部分は遮光部２８ｄとなっている。
【００３５】
ここでは、レンズ受け１３には、被検レンズ３０として負のパワーを有する未加工レンズがセットされているものとする。測定光束Ｐ２の投光光路３１には被検レンズ３０から所定距離の箇所にスクリーン３２が設けられている。このスクリーン３２は、例えば拡散板からなっている。
【００３６】
その投光光路３１に被検レンズ３０がセットされていないときには、光束Ｐ１、Ｐ２が平行光束のままパターン板２８に導かれ、このパターン板２８の各円形孔を透過するので、その透過光束に基づきパターン板２８に対応するパターン像が図１１に示すようにスクリーン３２上に投影される。
【００３７】
その図１１において、２８ｂ´は円形孔２８ｂに対応するスクリーン３２上の像、２８ｃ´は円形孔２８ｂ´に対応するスクリーン３２上の像、Ｏ４は中心位置Ｏ１に対応する中心位置を示している。
【００３８】
被検レンズ３０が投光光路３１にセットされると、その被検レンズ３０に光束Ｐ１、Ｐ２が投光される。その光束Ｐ１、Ｐ２は被検レンズ３０の負のパワーにより変形を受けて拡散され、図１２に示すようにスクリーン３２上の像のパターン間隔は被検レンズ３０がないとしたときの像のパターン間隔よりも広がる。正のパワーを有する被検レンズ（図示を略す）が投光光路３１にセットされると、その光束Ｐ１、Ｐ２がその被検レンズの正のパワーにより変形を受けて収束され、図１３に示すようにスクリーン３２上の像のパターン間隔は被検レンズ３０がないとしたときの像のパターン間隔よりも狭まる。この像のパターン間隔をスクリーン３上の各箇所で求めることにより、被検レンズ３０のレンズ特性（度数分布等）を求めることができる。
【００３９】
なお、図１２、図１３では、パターン像は被検レンズ３０の光軸Ｏ３が投光光路３１の光軸Ｏ２と一致しているものとして示されている。
【００４０】
投光光路３１にはスクリーン３２の背後に反射ミラー３３が設けられている。その反射ミラー３３の反射光路には結像レンズ３４とエリアＣＣＤ３５とからなるＣＣＤカメラ３６が設けられている。そのエリアＣＣＤ３５は結像レンズ３４に関してスクリーン３２と共役位置に設けられ、スクリーン３２に投影されたパターン像が撮像される。
【００４１】
エリアＣＣＤ３５は処理回路３７に接続されている。この処理回路３７は、少なくとも光束Ｐ１に基づきパターン板２８の中心位置Ｏ１に対応する中心位置Ｏ４を決定するための処理と、光束Ｐ２に基づき被検レンズ３０のレンズ特性を解析するための処理とを行う。その処理回路３７には切換スイッチ１０が接続され、ここでは、この切換スイッチ１０によりパターン板２８の像の中心位置Ｏ４を決定するための処理とレンズ特性の解析処理とが切り換えられる。
【００４２】
例えば、測定スイッチ１１がオフの状態で切換スイッチ１０をオンすると、光源２３のみが点灯される。光源２１は消灯されたままである。被検レンズ３０の光軸Ｏ３が投光光路３１の光軸Ｏ２からずれているときには、被検レンズ３０によって光束Ｐ１が図１４に示すように偏向され、スクリーン３２の中心位置Ｏ５から偏った領域に４個の像２８ｂ´が投影される。図１５に示すように、この４個の像２８ｂ´に基づき中心位置Ｏ４を求めれば、被検レンズ３０が偏心している場合のパターン像の中心位置Ｏ４を決定できる。次に、測定スイッチ１１をオンして、光源２１と共に光源２３を点灯すると、図１０に示すようにパターン像２８ｃ´がパターン像２８ｂ´と共にスクリーン３２上に得られる。パターン像２８ｂ´の中心位置Ｏ４は既に求められているので、このパターン像２８ｂ´の中心位置Ｏ４に基づき度数分布の解析を処理回路３７により行えば、被検レンズ３０のレンズ特性が得られる。処理回路３７は位置特定用パターン像の位置を特定する位置特定手段として機能する。
【００４３】
この構成によれば、４個の像２８ｂ´に基づきパターン板２８の像の中心位置Ｏ４を決定できるので、その中心位置Ｏ４の特定を迅速に行うことができる。
【００４４】
上記構成では、穴空きミラー２５を用いて光束Ｐ１をパターン板２８に投光することにしたが、光束Ｐ１の波長と光束Ｐ２の波長とを異ならせ、かつ、穴空きミラー２５の開口２５ａに相当する箇所を光束Ｐ１のみを透過させ、光束Ｐ２を反射する特性とすることもできる。
【００４５】
また、上記構成では、光源２１を消灯し、光源２３のみを点灯させて、パターン像の中心位置Ｏ４を求めることにしたが、光源２３を点灯させた状態で、パターン像の中心位置Ｏ４を求めることができる。
【００４６】
この場合、例えば、スクリーン３２上での像２８ｂ´の輝度が像２８ｃ´の輝度よりも大きくなるように光源２１の光量と光源２３の光量とを予め設定する。このように、光源２１の光量と光源２３の光量とを設定すれば、図１７に示すように像２８ｂ´に基づき得られる光量Ｑ１を像２８ｃ´に基づき得られる光量Ｑ１よりも大きくできる。そこで、処理回路３７によりスライスレベルＳｒ１、Ｓｒ２を設定すれば、像２８ｂ´と像２８ｃ´とを区別でき、スライスレベルＳｒ１により中心位置Ｏ４を特定し、スライスレベルＳｒ２により像２８ｃ´の位置を求めれば、同様にパターン像の中心位置Ｏ４を迅速に特定できる。
【００４７】
この変形例２によれば、光源２１を常時点灯状態としておくことができる。光源２１として、ハロゲンランプを用いる場合、ハロゲンランプの点灯と消灯とを繰り返すと、ハロゲンランプのフィラメントの劣化が早くなり、ハロゲンランプの寿命が短くなるが、この変形例２によれば、ハロゲンランプの短寿命化を抑制できる。
【００４８】
なお、ハロゲンサイクルを維持できる範囲で点灯電圧を下げて、ハロゲンランプの輝度を低下させても良い。また、ハロゲンランプを常時点灯状態として、機械的シャッターにより疑似的にハロゲンランプの消灯状態を作り出すこともできるが、この場合には、変形例２に較べて構造が複雑化する。
【００４９】
光源２３の光束の光量が充分に大きい場合には、光源２１と光源２３とを別光源としなくとも、パターン板２８の円形孔２８ｂの透過率を円形孔２８ｃの透過率よりも大きくすれば、同様に図１７に示す像の光量分布を得ることができ、この場合にも、像２８ｂの中心位置Ｏ４を特定できる。
【００５０】
この構成によれば、眼鏡フレームに枠入れされた被検レンズを測定することもでき、図１８〜図２３はその一例を示す。その画像パターンはパターン板２８の形状に対応して長方形状であり、その図１８は球面度Ｓ、図１９は円柱度Ｃ、図２０は軸角度Ａ、図２１はプリズム度Ｐｒを示す。
【００５１】
図２２に示すように、例えば、円柱度Ｃのマッピング表示と並行して球面度Ｓ、円柱度Ｃ、軸角度Ａ、プリズム量Ｐｒの測定数値も同時に表示することも可能である。更に図２３に示すように、左目（Ｌ）用の被検レンズの画像と右目（Ｒ）用の被検レンズの画像とを同時に表示することも可能である。加えて、いずれか一方の画像を他方の画像に対応させて、反転表示することも可能であり、このように構成すると、眼鏡フレームに枠入れされた状態での被検レンズのレイアウトを知るのが容易になる。
【００５２】
即ち、処理回路３７は、図２２に示した様に、測定により得られた画像Ｇをデータ処理により反転させた画像Ｇ´として、「正」状態の画像Ｇと反転画像Ｇ´とを図２３に示した様に画面３ａに表示させると共に、眼鏡の左右の眼鏡レンズ（メガネレンズ）の「Ｒ」，「Ｌ」の屈折特性値Ｓ，Ｃ，Ａすなわち球面度数Ｓ，円柱度数Ｃ，円柱軸角度Ａ、加入度数ＡＤＤ等を同時に表示することができる。
【００５３】
この様な表示は、メガネ（眼鏡）の左又は右のメガネレンズ（眼鏡レンズ）の一方が破損したために、破損した方のメガネレンズを新たに作る場合に有利である。この場合、先ず、破損していない方のメガネレンズ「Ｒ」又は「Ｌ」の屈折特性を測定して、図２３に示した「Ｒ」，「Ｌ」の部分に「Ｒ」又は「Ｌ」の一方の屈折特性を表示させると共にその屈折特性画像Ｇ，Ｇ´の一方を表示させ（本実施例では「Ｒ」）る。この際に得られたデータからメーカと製品番号を検索等により特定して、他方のレンズ用の未加工レンズ（被加工レンズ）を選択し、この選択した未加工レンズの屈折特性を上述と同様にして測定する。そして、この測定により得られる屈折特性画像を反転処理して画面３ａに表示させることにより、他方の未加工レンズの累進部等の傾斜方向を破損していない方のメガネレンズの屈折特性画像の累進部の傾斜方向と同じ向きの状態にして、左右の眼鏡レンズの累進部の延びる方向（累進部の傾斜）、即ち遠用測定部と近用測定部とを結ぶ線の傾斜が適切であるか否か（バランスがとれているか否か）を容易に判断できるようにする。
【００５４】
また、上述の様にメガネ（眼鏡）の左又は右のメガネレンズ（眼鏡レンズ）の一方が破損した場合、破損していない方のメガネレンズ「Ｒ」又は「Ｌ」の屈折特性を測定して、図２３に示した「Ｒ」，「Ｌ」の部分に「Ｒ」又は「Ｌ」の一方の屈折特性を表示させると共にその屈折特性画像Ｇ，Ｇ´の一方を表示させ、他方の屈折特性及び屈折特性画像を画像処理により反転させて画面３ａに表示させる。そして、この反転処理により得られたデータを基に、メーカと製品番号を検索等により特定すると共に、検索加工する際の累進部の傾斜等のデータにすることができる。そして、このデータに基づいて加工したメガネレンズをメガネフレームに枠入れ前或は枠入れ後に屈折特性を測定して、その屈折特性値と屈折特性画像を画面３ａに表示させると共に、破損していない方のメガネレンズの屈折特性と屈折特性画像を表示させることにより、左右の眼鏡レンズの累進部の延びる方向（累進部の傾斜）、即ち遠用測定部と近用測定部とを結ぶ線の傾斜が適切であるか否か（バランスがとれているか否か）を容易に判断できる。
【００５５】
尚、図２３では、「正」状態の画像Ｇと「反」状態の画像Ｇ´を画面３ａに上下に位置させて表示させているが、「正」状態の画像Ｇと「反」の状態の画像Ｇ´を左右に位置させて画面３ａ表示させることにより、より現実の眼鏡レンズの配置に近付けて、累進部の傾斜の適否をより容易に確認できるようにしてもよい。
【００５６】
また、例えば、左用のレンズ形状に研削加工された被検レンズと右用のレンズ形状に研削加工された被検レンズの屈折特性をそれぞれ測定すると共に、画面３ａの表示の「Ｌ」と「Ｒ」に左右の被検レンズの屈折特性を図２３の如くそれぞれ表示させ、「正」に被検レンズ「Ｌ」の屈折特性画像Ｇを表示させ、「反」に被検レンズ「Ｒ」の屈折特性画像Ｇ´を表示させるようにしてもよい。この場合には、左右の眼鏡レンズの累進部４１の延びる方向（累進部の傾斜）、即ち遠用測定部４０´と近用測定部４１´とを結ぶ線の傾斜が適切か否かを容易に判断できる。
【００５７】
更に、図２３の表示によれば、顧客の累進部を有する眼鏡の屈折特性を測定した場合、左右の眼鏡レンズの屈折特性画像を左右に表示できることになるので、左右の眼鏡レンズの屈折特性画像の比較も容易となる。この場合には、左右の眼鏡レンズの屈折特性画像はいずれも測定した画像そのままであるので、Ｌ「正」，Ｒ「正」の表示をさせて、このＬ「正」，Ｒ「正」の表示に対応させて左右の眼鏡レンズの屈折特性画像が表示させると共に、その下方に左右の眼鏡レンズの屈折特性値が表示させる様にする。
【００５８】
この場合、図２４に示した様に、図１８の球面屈折特性値（球面屈折度数）の等度数線ｄ１〜ｄｉと円柱屈折特性値が０．２５の等度数線２０５，２０５とを合成表示させる様にすると共に、遠用点から累進部４１及び近用部の加入度をも並列的に表示装置３の画面３ａに表示させるようにするモードも設ける。尚、加入度は、累進部のデイオプター（焦点距離の逆数）から遠用部のデイオプターを減算した値をいう。この場合には、遠用部２０１，累進部２０４の位置及びその球面度数の変化を更に容易に知ることができる。この様な図１８〜図２４の画像表示切り換えは、モード切換用のスイッチ２１０を操作することにより実行できる。
【００５９】
＜被検レンズの特定＞
ａ．この様にして被検レンズ３１の等度数線を処理回路３７により図３〜図７或は図２２〜図２４の様に求めた後、パソコン７２をモデム７３，電話回線７４，モデム７５等の通信回線を介してコンピュータ１００に接続して、情報記録・再生装置１０４に記録されたレンズ情報を検索可能な状態にする。この状態で、レンズメータ１´により求めた被検レンズ３１の等度数線情報すなわち屈折力の分布データを、コンピュータ１００の演算制御回路１０１ａに転送して、演算制御回路１０１ａにより情報記録・再生装置１０４に記録された多数のレンズ情報と比較させる。
【００６０】
この比較において、演算制御回路１０１ａは、測定データに最も近いレンズ情報を特定して、このレンズ情報からメーカや型名等を求め、この情報を上述の通信回線を介して眼鏡店７０のパソコン７１に戻す。これにより、眼鏡店７０ではパソコン７１から被検レンズ３１のメーカや型名を知ることができる。
【００６１】
また、眼鏡店７０において上述の様にして測定された被検レンズ３１と同じメーカのものを扱っていない場合や、そのメーカ以外のメーカのレンズを顧客が望む場合等を考慮して、眼鏡店７０のパソコン７１を操作することにより、測定された被検レンズ３１と類似するデータのレンズを有するメーカと型名のリストを表示させたり、このリストの屈折力の分布を示す図を表示させたりして、顧客への説明（コンサルティング）に用いたりすることができるようになっている。
【００６２】
また、被検レンズ３１の使用タイプが分からない場合には、測定モード切換スイッチ１０５を操作してレンズ使用タイプ測定モードにする。この場合には、入力手段１０３を用いて被検眼の屈折力情報を演算制御回路１０１ａに入力すると共に、上述した様にして被検レンズ３１の屈折特性を測定させる。この測定により、演算制御回路１０１ａは、入力された被検者の屈折力情報と測定された被検レンズ３１の屈折特性から、測定された被検レンズ３１のがスポーツタイプ、ドライブタイプ、室内タイプ（遠近タイプ、中近タイプ、近用タイプ等）のいずれであるかを判断して、モニターテレビ１０２に表示させる。
【００６３】
ｂ．また、メガネも長期にわたって使用すると、度数が合わなくなってくることが少なくない。この場合には、現在使用しているメガネでは周りが見えにくくなってくる。
【００６４】
この様な場合も、通常、新たにメガネを作るために、眼鏡店７０において上述したようにして、現在使用しているメガネの屈折特性をレンズメータ１´により測定し、この測定結果を上述したようにして通信により演算制御回路１０１ａに入力する。
【００６５】
一方、眼鏡店７０において、図示を省略した自覚式検眼装置やオートレフラクトメータ等の検眼装置（検眼データ入力手段）により眼の屈折力の検査を行って、この測定結果を演算制御回路１０１ａに直接入力するか、測定結果に基づく処方箋、例えば実際の度数より少し弱めの度数のレンズデータを記載した処方箋のデータを図示しないキーボード等によりパソコン７２に入力して、このデータを通信により上述したように演算制御回路１０１ａに入力する。
【００６６】
また、これに加えて、メガネの使用目的（即ち新たに作るメガネをどの様な場所で使用するか）を、例えば、読書用（室内用）、スポーツ用、運転用等をキーボード等使用目的入力手段でパソコン７２に入力して通信により演算制御回路１０１ａに入力する。
【００６７】
これらの入力により、比較手段としての演算制御回路１０１ａは、入力された使用目的から、現在の眼の屈折特性データから使用目的の屈折度数または処方箋に基づく屈折度数から使用目的に応じた屈折度数（尚、処方箋の屈折度数が予め使用目的に応じて処方されている場合には処方箋の屈折度数）を求める。
【００６８】
例えば、実際に測定した遠用度数（無限遠に合っている度数）と近用度数とが、
「遠用  −５Ｄ
加入度数  ＋３Ｄ」
である場合において、この屈折度数から使用目的に応じて求められる屈折度数は以下の(i)〜(iii)の様になる。
【００６９】
(i)遠用重視タイプ（運転用，スポーツ用）
演算制御回路１０１ａに入力された使用目的が運転用であれば、上述した値そのものが、運転用の屈折度数となる。
【００７０】
即ち、演算制御回路１０１ａは、入力された使用目的が運転用であれば、遠用及び近用とも問題はないので、測定した度数を
「遠用  −５Ｄ
加入度数  ＋２．５Ｄ」
として、運転用の屈折度数とする。
【００７１】
このタイプの例としては、図２６に示した様に遠用部を広く２０１を広くとったものがある。
【００７２】
(ii)近用重視タイプ（室内用（読書用））
また、測定した屈折度数において演算制御回路１０１ａは、もし入力された使用目的が室内用であれば、遠用の屈折度数をプラスぎみに、例えば
「遠用  −４Ｄ
加入度数  ＋２Ｄ」
等と屈折度数を求める。
【００７３】
このタイプの例としては、図２７ａに示した様に遠用部１０１より近用部２０２を広くとったタイプのもの、図２７ｂや図２７ｃに示した様に、遠用部１０１を図２６に示したものより狭く且つ近用部２０２が広いタイプのものがある。
【００７４】
(iii)遠近重視タイプ
更に、測定した屈折度数において演算制御回路１０１ａは、もし入力された使用目的が遠近両用であれば、例えば
遠用  −５Ｄ
加入度数  ＋３Ｄ
等と屈折度数を求める。
【００７５】
このタイプとしては、例えば図２８ａに示した様に、遠用部１０１と近用部２０２を比較的広くとったタイプのものがある。この図２８ａにおいて、遠用部１０１における遠点２０１ａをＸ１とし、近用部２０２における近点２０２ａをＸ２とし、Ｘ１，Ｘ２間の距離をＢとし、等度数線２０５，２０６間の幅をＡとし、球面度数をＳとすると、図２８ａに示した等度数線２０５，２０６間の幅Ａは点Ｘ１からＸ２に向うに従って図２８ｂに示した様に変化する。また、この時の球面度数Ｓは点Ｘ１からＸ２に向うに従って図２８ｃに示した様に変化し、幅Ａと加入度数ＡＤＤとの関係は図２８ｄに示した様に変化する。
【００７６】
そして、比較手段としての演算制御回路１０１ａは、この様にして求めた屈折度数と現在使用しているメガネの屈折特性とを比較して度数差を求め、この度数差（比較結果）が上述のパラメータがある閾値に入っているか否かを判断する。また、演算制御回路１０１ａは、判断結果を眼鏡店７０のパソコン７２に通信で戻して、その判断結果をパソコン７２のモニターテレビに表示させる。
【００７７】
即ち、この判断において、演算制御回路１０１ａは、度数差が所定範囲内であれば適している旨の表示をパソコン７２のモニターテレビ（告知手段）にさせ、度数差が所定範囲外であれば適していない旨の表示をパソコン７２のモニターテレビにさせる。尚、演算制御回路１０１ａ及びその周辺機器の構成を眼鏡店７０に持たせておけば、通信でデータの転送を行うことなしに、眼鏡店７０で即座に上述のａ，ｂに説明した結果を得ることができる。
【００７８】
また、演算制御回路１０１ａは、上述の判断において使用タイプの表示をモニターテレビに表示することもできる。この場合、演算制御回路１０１ａは、上述した図２８ｂ〜図２８ｄに示した様な幅Ａ，距離Ｂ，加入度数等の関係のパラメータも考慮して判断する様にできる。
【００７９】
更に、左レンズＬ，右レンズＲのタイプを比較した場合、図２９，図３１に示した様に左右レンズが水平対称のタイプや、図３０に示した様に左右レンズが非対称の場合のものがある。この様な特性線図のものも使用タイプの判断に利用できる。
【００８０】
(iv)その他
尚、上述のようにして求めた結果を例えば図３２に示した様にレンズメーターのモニター３或はモニターテレビ１０２に表示させるようにしてもよい。
【００８１】
即ち、この図３２では、屈折特性の分布情報である屈折特性画像Ｇ，累進帯の幅Ａと遠点２０１ａ（Ｘ１）から近点２０２ａ（Ｘ２）までの距離Ｂとの関係を示す特性線図Ｑ１、処方の加入度数ＡＤＤと累進帯の距離Ｂとの関係を示す特性線図Ｑ２等をモニター３或はモニターテレビ１０２に同時に表示している。しかも、球面度数Ｓ，円柱度数Ｃ，円柱軸角度Ａ，加入度数ＡＤＤ等の外に、累進帯の最大幅，最小幅や長さ（距離Ｂ）、中間部の値（Ｘ１からＸ２に向って徐々に増加する加入度数が処方の加入度数の半分の値になるＸ１からの距離）、及び測定された被検レンズのタイプ（遠用重視タイプ，近用重視タイプ，遠近重視タイプ等）を知らせるメッセージＭＧもモニター３或はモニターテレビ１０２に表示している。
【００８２】
尚、特性線図Ｑ１，Ｑ２や中間部の値（Ｘ１からＸ２に向って徐々に増加する加入度数が処方の加入度数の半分の値になるＸ１からの距離）は演算制御回路１０１ａにより求められ、この特性線図Ｑ１，Ｑ２や中間部の値を求めることで被検レンズのタイプ（遠用重視タイプ，近用重視タイプ，遠近重視タイプ等）を容易にすることができ、この求めたタイプをモニター３或はモニターテレビ１０２にメッセージＭＧとして表示させることで、被検レンズのタイプを測定者の判断なしに簡易に知ることができる。また、メーカによって遠点２０１ａに対する近点２０２ａの内寄せ量すなわち左右方向のずれ量が略決まっているので、遠点２０１ａに対する近点２０２ａの内寄せ量すなわち左右方向のずれ量を演算制御回路１０１ａにより求めることにより、このずれ量をも被検レンズがいずれのメーカであるかを特定するために用いることができる。しかも、このずれ量をモニター３或はモニターテレビ１０２に表示してもよい。
【００８３】
(2)実施例２
また、以上説明した実施例では、眼鏡店７０からホストコンピュータ１００にアクセスして被検レンズ３１のメーカや型名等の情報を得るようにしたが、必ずしもこの構成に限定されるものではない。例えば、上述したホストコンピュータ１００側の機能を眼鏡店７０のパソコン７２に持たせると共に、図１に破線で示した様に、このパソコン７２に情報記録・再生装置１０４と同じ情報記録・再生装置１０４´を接続しておいて、眼鏡店７０において被検レンズ３１のメーカや型名等の情報を得る様にしてもよい。また、上述したホストコンピュータ１００側の機能をレンズメーター１の処理回路３７に持たせると共に、図２，図９に破線で示した様に、このレンズメーター１の処理回路３７に情報記録・再生装置１０４と同じ情報記録・再生装置１０４´´を接続しておいて、眼鏡店７０において被検レンズ３１のメーカや型名等の情報を得る様にしてもよい。この様なレンズメーター１は、眼鏡店７０に配置して用いるとよい。
【００８４】
この場合も、上述したように、眼鏡店７０において測定された被検レンズ３１と同じメーカのものを扱っていない場合や、そのメーカ以外のメーカのレンズを顧客が望む場合等を考慮して、眼鏡店７０のパソコン７１を操作することにより、測定された被検レンズ３１と類似するデータのレンズを有するメーカと型名のリストを表示させたり、このリストの屈折力の分布を示す図を表示させたりして、顧客への説明に用いたりすることができるようになっている。
【００８５】
【発明の効果】
請求項１，２の発明は、以上説明したような構成としたので、簡易且つ迅速にレンズ情報を知ることができる。
【００８６】
しかも、前記レンズ情報の中から前記レンズ判定手段によって求められる情報は型名である場合に、レンズの交換等が必要なとき、型名を迅速に知ることができる。
【図面の簡単な説明】
【図１】  この発明に係るレンズ特定装置の説明図である。
【図２】  図１に示したレンズ特定装置の制御回路のブロック図である。
【図３】  図１に示したレンズ特定装置により測定される被検レンズのレンズ屈折特性の分布情報の一例を示す説明図である。
【図４】  レンズ屈折特性の他の例を示す説明図である。
【図５】  レンズ屈折特性の他の例を示す説明図である。
【図６】  レンズ屈折特性の他の例を示す説明図である。
【図７】  レンズ屈折特性の他の例を示す説明図である。
【図８】  図１に示したレンズメータの斜視図である。
【図９】  図１，図８に示したレンズメータの光学系の説明図である。
【図１０】  図８に示すパターン板の平面図である。
【図１１】  眼鏡レンズが投光光路にセットされていないときにスクリーンに投影されたパターン像を示す図である。
【図１２】  負のパワーを有する眼鏡レンズが投光光路にセットされていないときにスクリーンに投影されたパターン像を示す図である。
【図１３】  正のパワーを有する眼鏡レンズが投光光路にセットされていないときにスクリーンに投影されたパターン像を示す図である。
【図１４】  図９における被検レンズを偏心させて投光光路にセットした状態を示す説明図である。
【図１５】  中心位置決定用パターンに基づく像のみが図９のスクリーンに投影された状態を示す説明図である。
【図１６】  中心位置決定用パターンに基づく像とレンズ特性測定用パターンに基づく像とが第９図のスクリーンに投影された状態を示す説明図である。
【図１７】  図１６に基づく光量分布をを示す説明図である。
【図１８】  眼鏡レンズの屈折特性の一つである球面度分布を示す説明図である。
【図１９】  眼鏡レンズの屈折特性の一つである円柱度分布を示す説明図である。
【図２０】  眼鏡レンズの屈折特性の一つである軸角度分布を示す説明図である。
【図２１】  眼鏡レンズの屈折特性の一つであるプリズム度分布を示す説明図である。
【図２２】  眼鏡レンズの屈折特性の一つである円柱度分布と共に測定値を示す説明図である。
【図２３】  左右眼用の円柱度分布及び測定値を表示可能に設けると共に、他方の円柱度分布の表示部に一方の円柱度分布を反転させて表示させた説明図である。
【図２４】  眼鏡レンズの加入度の説明図である。
【図２５】  図８に示したレンズメータの使用説明図である。
【図２６】  レンズ屈折特性の他の例を示す説明図である。
【図２７】  (a)〜(c)はレンズ屈折特性の他の例を示す説明図である。
【図２８】  (a)はレンズ屈折特性の他の例を示す説明図、(b)は(a)の距離Ｂと幅Ａとの関係を示す特性線図、(c)は(a)の距離Ｂと円柱度数の関係を示す特性線図、(d)は(a)の幅Ａと加入度数との関係を示す特性線図である。
【図２９】  左右眼用のレンズ屈折特性の一例を示す説明図である。
【図３０】  左右眼用のレンズ屈折特性の他の例を示す説明図である。
【図３１】  左右眼用のレンズ屈折特性の他の例を示す説明図である。
【図３２】  累進レンズのレンズ屈折特性と累進帯の距離及び幅等の表示例を示す説明図である。
【符号の説明】
３１…被検レンズ
１…レンズメータ１
１０４…情報記録・再生装置
１０１ａ…演算制御回路
【図１】
0003983329.tif 000002
【図２】
0003983329.tif 000003
【図３】
0003983329.tif 000004
【図４】
0003983329.tif 000005
【図５】
0003983329.tif 000006
【図６】
0003983329.tif 000007
【図７】
0003983329.tif 000008
【図８】
0003983329.tif 000009
【図９】
0003983329.tif 000010
【図１０】
0003983329.tif 000011
【図１１】
0003983329.tif 000012
【図１２】
0003983329.tif 000013
【図１３】
0003983329.tif 000014
【図１４】
0003983329.tif 000015
【図１５】
0003983329.tif 000016
【図１６】
0003983329.tif 000017
【図１７】
0003983329.tif 000018
【図１８】
0003983329.tif 000019
【図１９】
0003983329.tif 000020
【図２０】
0003983329.tif 000021
【図２１】
0003983329.tif 000022
【図２２】
0003983329.tif 000023
【図２３】
0003983329.tif 000024
【図２４】
0003983329.tif 000025
【図２５】
0003983329.tif 000026
【図２６】
0003983329.tif 000027
【図２７】
0003983329.tif 000028
【図２８】
0003983329.tif 000029
【図２９】
0003983329.tif 000030
【図３０】
0003983329.tif 000031
【図３１】
0003983329.tif 000032
【図３２】
0003983329.tif 000033